(57)【要約】【課題】作業中、操縦部の周囲の確認とメーターパネルの表示内容を確認するに際し、視線の移動量が大きく、操作性が低下するという課題がある。【解決手段】該操縦部６の座席１０の前方には前側操作部１２を、座席１０の側方には側部操作部１３を夫々設け、前記前側操作部１２の上部に備えたフロントパネル１５にはメーターパネル１６を設け、該メーターパネル１６を刈取装置４の右端の分草体１８よりも右側のフロントパネル１５の部位に配置し、フロントパネル１５におけるメーターパネル１６と右端分草体１８との左右方向での間の部位には、脱穀装置３へ供給する穀稈の扱ぎ深さを自動で調節する自動扱ぎ深さ調節制御を有効状態と無効状態とに切り替える自動扱き深さスイッチ２０を設けたコンバイン。【選択図】図３
2014068589.tif 000002
【特許請求の範囲】
【請求項１】
機体フレーム（１）の下方に走行装置（２）を設け、機体フレーム（１）の前方に刈取装置（４）を設け、機体フレーム（１）の上方に脱穀装置（３）およびグレンタンク（５）を設け、該グレンタンク（５）の前方に操縦部（６）を設け、該操縦部（６）の座席（１０）の前方には前側操作部（１２）を、座席（１０）の側方には側部操作部（１３）を夫々設け、前記前側操作部（１２）の上部に備えたフロントパネル（１５）にはメーターパネル（１６）を設け、該メーターパネル（１６）を刈取装置（４）の右端の分草体（１８）よりも右側のフロントパネル（１５）の部位に配置し、フロントパネル（１５）におけるメーターパネル（１６）と右端分草体（１８）との左右方向での間の部位には、脱穀装置（３）へ供給する穀稈の扱ぎ深さを自動で調節する自動扱ぎ深さ調節制御を有効状態と無効状態とに切り替える自動扱き深さスイッチ（２０）を設けたコンバイン。
【請求項２】
請求項１記載の発明において、前記フロントパネル（１５）の右側部に走行方向の操作と前記刈取装置（４）の昇降操作を行う操作レバー（２１）を設け、該操作レバー（２１）と前記メーターパネル（１６）の後側に前側ハンドル（２２）を設け、該前側ハンドル（２２）の左端部よりも左側に、脱穀装置（３）へ供給する穀稈の扱ぎ深さを手動で調節する扱き深さ調節スイッチ（２５）を設けたコンバイン。
【請求項３】
請求項２記載の発明において、前記フロントパネル（１５）と、走行変速操作を行う主変速レバー（２６）を有する前記側部操作部（１３）に備えたサイドパネル（２７）とを一体的に形成して一体パネル（２８）を構成し、前記フロントパネル（１５）は、サイドパネル（２７）の前部に形成された前上がり傾斜部（３２）より急な姿勢で前上がり傾斜させ、このフロントパネル（１５）に前記扱き深さ調節スイッチ（２５）を設けたコンバイン。
【請求項４】
請求項３記載の発明において、前記一体パネル（２８）のサイドパネル（２７）の後端部を、エンジンルームカバー（３７）の前端部近傍に位置させ、このエンジンルームカバー（３７）を開放することで、前記一体パネル（２８）を外すことなく、エンジン（４３）から前記脱穀装置（３）側へ駆動力を伝達する脱穀入力ベルト（３８）のメンテナンスが可能となる構成としたコンバイン。
【発明の詳細な説明】
【技術分野】
【０００１】
本発明は、コンバインに係るものである。
【背景技術】
【０００２】
従来、コンバインの操縦部のフロントパネル上面にメーターパネルを設けた構成は、公知である（特許文献１）
【先行技術文献】
【特許文献】
【０００３】
【特許文献１】特開２００９−１２５０１７号公報
【発明の概要】
【発明が解決しようとする課題】
【０００４】
前記公知例は、作業中、操縦部の周囲の確認とメーターパネルの表示内容を確認するに際し、視線の移動量が大きく、操作性が低下するという課題がある。
本願は、フロントパネルの配置を工夫し、操作性および視認性の良好な操縦部を有するコンバインを提供するものである。
【課題を解決するための手段】
【０００５】
請求項１記載の発明は、機体フレーム１の下方に走行装置２を設け、機体フレーム１の前方に刈取装置４を設け、機体フレーム１の上方に脱穀装置３およびグレンタンク５を設け、該グレンタンク５の前方に操縦部６を設け、該操縦部６の座席１０の前方には前側操作部１２を、座席１０の側方には側部操作部１３を夫々設け、前記前側操作部１２の上部に備えたフロントパネル１５にはメーターパネル１６を設け、該メーターパネル１６を刈取装置４の右端の分草体１８よりも右側のフロントパネル１５の部位に配置し、フロントパネル１５におけるメーターパネル１６と右端分草体１８との左右方向での間の部位には、脱穀装置３へ供給する穀稈の扱ぎ深さを自動で調節する自動扱ぎ深さ調節制御を有効状態と無効状態とに切り替える自動扱き深さスイッチ２０を設けたコンバインとしたものであり、右端の分草体分草体１８を圃場の穀稈列に合わせて刈取走行させる。
分草体１８の先端位置を視認しつつ、メーターパネル１６でエンジンの回転数や走行速度を確認すると共に、自動扱き深さスイッチ２０による自動扱き深さ調節制御が有効状態となっているかを確認する。
請求項２記載の発明は、前記フロントパネル１５の右側部に走行方向の操作と前記刈取装置４の昇降操作を行う操作レバー２１を設け、該操作レバー２１と前記メーターパネル１６の後側に前側ハンドル２２を設け、該前側ハンドル２２の左端部よりも左側に、脱穀装置３へ供給する穀稈の扱ぎ深さを手動で調節する扱き深さ調節スイッチ２５を設けたコンバインとしたものであり、操作レバー２１により走行方向の操作および刈取装置４の昇降操作を行いながら刈取作業を行う。
作業者は操作レバー２１を掴んだ右手の手首を前側ハンドル２２に載せ、左手で前側ハンドル２２を握って機体を走行させ、扱き深さ調節スイッチ２５を操作する際には左手を前側ハンドル２２から離すかあるいは指を扱き深さ調節スイッチ２５へ伸ばして行う。
請求項３記載の発明は、前記フロントパネル１５と、走行変速操作を行う主変速レバー２６を有する前記側部操作部１３に備えたサイドパネル２７とを一体的に形成して一体パネル２８を構成し、前記フロントパネル１５は、サイドパネル２７の前部に形成された前上がり傾斜部３２より急な姿勢で前上がり傾斜させ、このフロントパネル１５に前記扱き深さ調節スイッチ２５を設けたコンバインとしたものであり、フロントパネル１５とサイドパネル２７とを一体状にした一体パネル２８を、操縦部６に取付けて前側操作部１２と側部操作部１３とし、フロントパネル１５の扱き深さ調節スイッチ２５により手動操作により扱き深さ調節を行う。
請求項４記載の発明は、前記一体パネル２８のサイドパネル２７の後端部を、エンジンルームカバー３７の前端部近傍に位置させ、このエンジンルームカバー３７を開放することで、前記一体パネル２８を外すことなく、エンジン４３から前記脱穀装置３側へ駆動力を伝達する脱穀入力ベルト３８のメンテナンスが可能となる構成としたコンバインとしたものであり、エンジンルームカバー３７を開けて、脱穀入力ベルト３８のメンテナンスを行う。
【発明の効果】
【０００６】
請求項１記載の発明では、作業中によく見るメーターパネル１６と、分草体１８の先端と、自動扱き深さスイッチ２０とを見ながら刈取作業を行うことができ、視線の移動距離を小さくでき、視認性を向上させられ、操作性を向上させることができる。
請求項２記載の発明では、扱き深さ調節スイッチ２５の視認性を高めると共に、前側ハンドル２２が邪魔にならずに扱き深さ調節スイッチ２５の操作を行うことができる。
請求項３記載の発明では、フロントパネル１５とサイドパネル２７との間に隙間が無く、水や埃が入るのを防止でき、フロントパネル１５を前上がりに傾斜させていることで、刈取装置４から飛散する泥土がメーターパネル１６や扱き深さ調節スイッチ２５に付着することを防止して、メーターパネル１６や扱き深さ調節スイッチ２５の視認性および操作性の低下を防止することができる。
請求項４記載の発明では、脱穀入力ベルト３８のメンテナンスを容易に行うことができる。
【図面の簡単な説明】
【０００７】
【図１】コンバインの側面図。
【図２】操縦部の一部平面図。
【図３】操縦部の平面図。
【図４】同側面図。
【図５】エンジンカバーと脱穀パネルの正面概略図。
【図６】エンジンカバーのオープン状態図。
【図７】エンジン付近の正面図。
【図８】操縦部側面図。
【図９】刈取装置および操縦部側面図。
【図１０】操縦部側面図。
【図１１】エンジンカバーの概略斜視図。
【発明を実施するための形態】
【０００８】
本発明の一実施形態を図により説明すると、１は機体フレーム、２は走行装置、３は機体フレーム１の上方位置に設けた脱穀装置、４は脱穀装置３の前側に設けた刈取装置、５はグレンタンク、６は操縦部である。
前記操縦部６には、作業者が着座する座席１０を設け、座席１０の前側に作業者が乗降するステップ１１を設け、ステップ１１の前側には前側操作部１２を設け、ステップ１１の側部には側部操作部１３を設ける。
前記前側操作部１２のフロントパネル１５には、エンジンの回転数や機体の走行速度、各部の異常状態を通知する警告灯等を備えたメーターパネル（モニタ）１６を設ける。メーターパネル１６は、前記刈取装置４の右端の分草体１８よりも右側に配置する。
前記メーターパネル１６と右端分草体１８の左右方向の間のフロントパネル１５には、自動扱き深さスイッチ２０を設ける。自動扱き深さスイッチ２０は脱穀装置３へ供給する穀稈の扱ぎ深さを自動で調節する「自動扱ぎ深さ調節制御」を有効と無効とに切り替える。
【０００９】
そのため、作業中によく見るメーターパネル１６と、分草体１８の先端と、自動扱き深さスイッチ２０とを、互いに近傍に配置することにより、視認性を向上させられ、操作性を向上させられる。
また、フロントパネル１５の右部に走行方向の操作と刈取装置４の昇降操作を行う操作レバー２１を設け、操作レバー２１と前記メーターパネル１６の後方（手前側）にアーチ状の前側ハンドル２２を設け、該前側ハンドル２２よりも左側に扱き深さ調節スイッチ２５を設ける。
作業者は操作レバー２１を掴んだ右手の手首を前側ハンドル２２に載せ、左手で前側ハンドル２２を握って機体を走行させ、扱き深さ調節スイッチ２５を操作する際には左手を前側ハンドル２２から離すかあるいは指を扱き深さ調節スイッチ２５へ伸ばして行う。
【００１０】
前記フロントパネル１５と、走行変速操作を行う主変速レバー２６を有する前記側部操作部１３に備えたサイドパネル２７とを一体的に形成して一体パネル２８を構成する。
即ち、前側操作部１２の前記操作レバー２１等を有するフロントパネル１５と、走行速度操作を行う主変速レバー２６を有する前記側部操作部１３のサイドパネル（クラッチパネル）２７とは両者の間に隙間なく一体状に形成して、一体パネル２８に構成する。
そのため、フロントパネル１５とサイドパネル２７との間に隙間が無く、水や埃が入るのを防止する。
【００１１】
即ち、従来では、フロントパネル１５とサイドパネル２７とを別体に形成し、組立取付の誤差を両者間に隙間を設けて形成していたが、本願では、フロントパネル１５とサイドパネル２７とを一体成形することにより、組付時の相互干渉等を防止する。
サイドパネル２７には、走行速度操作を行う主変速レバー２６と刈取脱穀クラッチ（図示省略）を入切する刈脱レバー３０を左右方向において並べて配置する。
そのため、主変速レバー２６と刈脱レバー３０を略同一の視野の中に配置でき、操作性を向上させられる。
この場合、刈脱レバー３０の刈取「切」位置を、主変速レバー２６の後進位置より後方とし、刈脱レバー３０の刈脱「入り」位置を、主変速レバー２６の前進位置より前方となるように構成する。
そのため、主変速レバー２６が前進または後進位置でも、刈脱レバー３０の操作が容易に行える。
【００１２】
主変速レバー２６の外側に刈脱レバー３０を設け、サイドパネル２７の外側に副変速レバー３１を配置する。
そのため、サイドパネル２７をコンパクトにすることができる。
また、側部操作部１３のサイドパネル２７には、前方が高くなる前上がり傾斜部３２を設ける。
そのため、サイドパネル２７に設けた各操作部材の視認性を向上させ、良好な操作性を提供することができる。
また、フロントパネル１５はサイドパネル２７よりもさらに急な前上がりの姿勢としており、ここに前記扱き深さ調節スイッチ２５を設ける。
そのため、フロントパネル１５に設けた各操作部材の視認性を向上させ、良好な操作性を提供することができる。
【００１３】
前記フロントパネル１５とサイドパネル２７との間に段差３３を設ける。
フロントパネル１５とサイドパネル２７とを隙間無く一体状の一体パネル２８に形成しているが、フロントパネル１５とサイドパネル２７との間に段差３３を設けているので、フロントパネル１５とサイドパネル２７とを容易に認識できる。
前記一体パネル２８のサイドパネル２７の後部３４は、エンジンルームカバー３７の前端部近傍に位置させ、このエンジンルームカバー３７を開けると、前記一体パネル２８を外すことなく、脱穀入力プーリー３９の脱穀入力ベルト３８のメンテナンス可能に構成する。
即ち、サイドパネル２７の後端をエンジンルームカバー３７の前部の位置付近とし、サイドパネル２７の後端より後方はエンジンルームカバー３７により包囲する。
そのため、エンジンルームカバー３７を開けると、前記一体パネル２８を外すことなく、脱穀入力ベルト３８のメンテナンス可能になって、メンテナンスを容易にする。
【００１４】
４０はエンジンルームカバー３７の内側板部、４１はエンジンルームカバー３７の内側板部４０に設けた固定用ボルト、４２は固定用ボルト４１が螺合するステー、４３はエンジンである。
脱穀装置３側に設けた脱穀パネル４５の側面には操縦部６側に突出するパネル板４６Ａを設け、パネル板４６Ａとエンジンルームカバー３７の内側板部４０とを、内側板部４０に取付けたシール部材４６により上下方向で密封する。
即ち、図６のように、脱穀入力プーリー３９の脱穀入力ベルト３８のメンテナンスのために外側オープンさせたエンジンルームカバー３７を元に戻すと、脱穀装置３側に設けた脱穀パネル４５のパネル板４６Ａの上面に、エンジンルームカバー３７の内側板部４０が重なり、内側板部４０のシール部材４６がパネル板４６Ａの上面に当接する。
そのため、内側板部４０と脱穀パネル４５のパネル板４６Ａとの間の隙間をシール部材４６により塞ぐことができる。
【００１５】
また、図３，図６、図７では、サイドパネル２７とエンジンルームカバー３７の内側板部４０との間にシール部材４６を設けている。
即ち、パネル板４６Ａの一部はサイドパネル２７と共に、エンジンルームカバー３７の内側板部４０と上下に重なるように配置しており、エンジンルームカバー３７の内側板部４０と、パネル板４６Ａおよびサイドパネル２７とを、内側板部４０に取付けたシール部材４６により上下方向で密封する。
そのため、パネル板４６Ａおよびサイドパネル２７と、脱穀パネル４５との間の隙間をシール部材４６により塞ぐことができる。
４７は脱穀パネル４５に設けた排出レバー（図示省略）の操作溝であり、グレンタンク５内の穀粒排出作業を行う。
【００１６】
（作用）
操縦部６の運転座席１０に着座して、エンジンを始動し、主変速レバー２６により前進走行を開始し、操作レバー２１により圃場の穀稈に合わせて走行して、刈取脱穀作業を行う。
操縦部６は、座席１０の前方に前側操作部１２を設け、座席１０の側方には側部操作部１３を設け、前側操作部１２のフロントパネル１５の、刈取装置４の右端の分草体１８よりも右側位置の部位にはメーターパネル１６を配置しているので、作業中によく見るメーターパネル１６と、分草体１８の先端とを、互いに近傍に配置することにより、視線移動距離を短くできて、視認性を向上させられ、操作性を向上させられる。
【００１７】
メーターパネル１６と右端分草体１８の左右方向の間のフロントパネル１５には脱穀装置３へ供給する穀稈の扱ぎ深さを自動で調節する「自動扱ぎ深さ調節制御」を有効と無効とに切り替える自動扱き深さスイッチ２０を設けているので、刈取装置４の刈取状態を見ながら、メーターパネル１６および右端分草体１８の視認することができ、視認性を向上させられ、操作性を向上させられる。
フロントパネル１５の右部に走行方向の操作と刈取装置４の昇降操作を行う操作レバー２１を設け、操作レバー２１と前記メーターパネル１６の後方（手前側）にアーチ状の前側ハンドル２２を設け、該前側ハンドル２２よりも左側に扱き深さ調節スイッチ２５を設けているので、作業者は操作レバー２１を掴んだ右手の手首を前側ハンドル２２に載せ、左手で前側ハンドル２２を握って機体を走行させ、扱き深さ調節スイッチ２５を操作する際には左手を前側ハンドル２２から離すかあるいは指を扱き深さ調節スイッチ２５へ伸ばして行う。
【００１８】
前側操作部１２の前記操作レバー２１等を有するフロントパネル１５と、走行速度操作を行う主変速レバー２６を有する前記側部操作部１３のサイドパネル２７とは両者の間に隙間なく一体状に形成した一体パネル２８に構成しているので、フロントパネル１５とサイドパネル２７との間に隙間が無く、水や埃が入るのを防止する。
サイドパネル２７には、走行速度操作を行う主変速レバー２６と刈取脱穀クラッチ（図示省略）を入切する刈脱レバー３０を並べて配置しているので、主変速レバー２６と刈脱レバー３０を略同一の視野の中に配置でき、操作中の視線移動を少なくでき、操作性を向上させられる。
この場合、刈脱レバー３０の刈取「切」位置を、主変速レバー２６の後進位置より後方とし、刈脱レバー３０の刈脱「入り」位置を、主変速レバー２６の前進位置より前方となるように構成しているので（図４）、主変速レバー２６が前進または後進位置でも、刈脱レバー３０の操作が容易に行える。
【００１９】
主変速レバー２６の外側に刈脱レバー３０を設け、この刈脱レバー３０の外側のサイドパネル２７に副変速レバー副変速レバー３１を配置しているので、サイドパネル２７をコンパクトにすることができる。
また、側部操作部１３のサイドパネル２７には、前方が高くなる前上がり傾斜部３２を設けているので、サイドパネル２７に設けた各操作部材の視認性を向上させ、良好な操作性を提供することができる。
また、フロントパネル１５はサイドパネル２７よりもさらに急な前上がりの姿勢としており、ここに前記扱き深さ調節スイッチ２５を設けているので、フロントパネル１５に設けた各操作部材の視認性を向上させ、良好な操作性を提供することができる。
【００２０】
フロントパネル１５とサイドパネル２７とを隙間無く一体状の一体パネル２８に形成しているが、フロントパネル１５とサイドパネル２７との間に段差３３を設けているので（図３，図４）、フロントパネル１５とサイドパネル２７とを容易に認識できる。
一体パネル２８のサイドパネル２７の後端部は、エンジンルームカバー３７の前端部近傍に位置させ、このエンジンルームカバー３７を開けると、前記一体パネル２８を外すことなく、脱穀入力ベルト３８のメンテナンス可能に構成しているので、エンジンルームカバー３７を開けると、一体パネル２８を外すことなく、脱穀入力ベルト脱穀入力ベルト３８のメンテナンス可能になって、メンテナンスを容易にする。
脱穀装置３側に設けた脱穀パネル４５とサイドパネル２７とを、エンジンルームカバー３７に取付けたシール部材４６により上下方向で密封しているので、サイドパネル２７と脱穀パネル４５との間の隙間をシール部材４６により塞ぐことができる。
【符号の説明】
【００２１】
１…機体フレーム，２…走行装置、３…脱穀装置、４…刈取装置、５…グレンタンク、６…操縦部、１０…座席、１１…ステップ、１２…前側操作部、１３…側部操作部、１５…フロントパネル、１６…メーターパネル、１８…分草体、２０…自動扱き深さスイッチ、２１…操作レバー、２２…前側ハンドル、２５…扱き深さ調節スイッチ、２６…主変速レバー、２７…サイドパネル、２８…一体パネル、３０…刈脱レバー、３１…副変速レバー、３２…前上がり傾斜部、３３…段差、３７…エンジンルームカバー、３８…脱穀入力ベルト、４０…内側板部、４１…固定用ボルト、４２…ステー、４５…脱穀パネル、４６…シール部材、４７…操作溝。
【図１】
2014068589.tif 000003
【図２】
2014068589.tif 000004
【図３】
2014068589.tif 000005
【図４】
2014068589.tif 000006
【図５】
2014068589.tif 000007
【図６】
2014068589.tif 000008
【図７】
2014068589.tif 000009
【図８】
2014068589.tif 000010
【図９】
2014068589.tif 000011
【図１０】
2014068589.tif 000012
【図１１】
2014068589.tif 000013